(57)【要約】【課題】  装置内部への光線の侵入を阻止するものでありながら、開閉自在な扉を閉じ状態に維持し、把手部の人為操作によって閉じ状態を解除する構造を得る。【解決手段】  ラッチアーム３６が挿通する孔部４１Ｈが形成されたベース４１を扉３２の開口Ｈの部位に嵌め込み固定し、把手部３５とラッチアーム３６とを一体的に形成した揺動部材３７をベース４１の内部に嵌め込み、扉３２の側に形成した軸支部３３と、ベース端部の端壁部４２と、揺動部材３７とに支軸１５を挿通して固定した。【選択図】        図３
2005226247.tif 000002
【特許請求の範囲】
【請求項１】
感光材料を処理する処理装置に開閉操作自在に備えられた扉を閉じ状態に維持し、人為操作によって閉じ状態を解除する操作手段を備え、この操作手段が、前記扉に形成した開口の部位に固定されるベースと、このベースに嵌め込まれ、かつ、軸芯周りで揺動自在に支持される揺動部材とで構成され、この揺動部材に対して人為操作される把手部と前記処理装置の側の部材に係合して扉を閉じ状態を維持するラッチアームとを形成している扉の開閉構造であって、
前記開口の開口縁から前記処理装置の内部側に突出する軸支部を前記扉に形成し、この軸支部に対して前記軸芯と同軸芯となる貫通孔を形成すると共に、
前記ベースは、前記処理装置の内部側に窪む凹状壁部が形成され、この凹状壁部に対して前記軸芯と同軸芯となる貫通孔と前記ラッチアームが挿通する孔部とが形成され、
前記揺動部材は、前記ベースの前記凹状壁部に摺接する外面が形成され、前記軸芯と同軸芯となる貫通孔が形成され、
前記開口の部位に前記ベースを固定し、このベースに対して前記揺動部材を嵌め込んだ状態で夫々の貫通孔に支軸を挿通することにより前記揺動部材を揺動自在に支持してある扉の開閉構造。
【請求項２】
前記開口が、前記軸芯と平行となる一対の第１開口縁と、前記軸芯と直交する姿勢となる一対の第２開口縁とで矩形に形成され、第２開口縁と連なる位置に前記軸支部が形成され、前記ベースの取付位置が前記扉の裏側に設定されると共に、
前記ベースの凹状壁部の内部空間の軸芯方向での端部位置に前記軸支部を収容するように、この端部位置に端壁部を一体形成し、このベースの凹状壁部における前記揺動軸芯に沿う部位に形成したフランジ部を前記第１開口縁の外側に接触させ、前記軸支部を前記凹状壁部の内部空間に収容する形態で、このベースを扉に固定してある請求項１記載の扉の開閉構造。
【請求項３】
前記ベースに形成された凹状壁部が前記軸芯を中心とするシリンダ内面状に成形され、前記揺動部材の外面が前記軸芯を中心としたシャフト状で凹状壁部に密接するサイズに成形され、前記ラッチアームは前記把手部を外方に引き操作した際にラッチ状態を解除するように突出方向を設定した係合部を有した構造であり、前記孔部の開口縁のうち、ラッチアームの係合片が形成された側の端部と重複する遮光片を該ラッチアームに形成してある請求項１又は２記載の扉の開閉構造。
【請求項４】
前記ベースにバネ受部を形成し、前記ラッチアームにバネ圧作用部を形成し、このバネ受部とバネ圧作用部との間に圧縮コイルバネを備えている請求項１〜３のいずれか１項に記載の扉の開閉構造。
【発明の詳細な説明】
【技術分野】
【０００１】
本発明は、感光材料を処理する処理装置に開閉操作自在に備えられた扉を閉じ状態に維持し、人為操作によって閉じ状態を解除する操作手段を備え、この操作手段が、前記扉に形成した開口の部位に固定されるベースと、このベースに嵌め込まれ、かつ、軸芯周りで揺動自在に支持される揺動部材とで構成され、この揺動部材に対して人為操作される把手部と前記処理装置の側の部材に係合して扉を閉じ状態を維持するラッチアームとを形成している扉の開閉構造に関する。
【背景技術】
【０００２】
上記のように構成された扉の開閉構造と類似する技術として、特許文献１に記載されるものが存在する。この特許文献１では、一端をヒンジによって枢着した開閉扉（本発明の扉）をロック機構（本発明の操作手段）によって開閉可能に構成したものであり、このロック機構は、開閉扉の組付け孔（本発明の開口）に対して保持部材（本発明のベース）を嵌合により組み付け、この保持部材に対して操作部材（本発明の揺動部材）を支持している。
【０００３】
つまり、特許文献１では、装置本体に設けた被係止部に係止可能な係止部（本発明のラッチアーム）と、この係止部による係止を解除する把手部とを有する操作部材（本発明の揺動部材）を枢軸（回動支点）周りで回動自在に保持部材（本発明のベース）に保持している。この保持部材には操作部材を保持するための保持部の底壁に対して回動支点を中心とする半円弧状となる被摺接面を形成してあり、操作部材の外面に対して保持部の底壁に摺接する円柱状となる摺接面を形成している。底壁には係止部を挿入する挿入口を形成してあり、保持部材と係止部との間には係止部を被係止部材の側に付勢するコイルスプリングを備えている。そして、この開閉構造では、挿入口の周りが全周にわたって摺接面と被摺接面との摺接によりシールされるので、外部の光が挿入口から侵入しないものとなっているのである。
【０００４】
【特許文献１】特開平１１‐３２７１１１号公報  （段落番号〔００１１〕〜〔００１９〕、図２、図３）
【発明の開示】
【発明が解決しようとする課題】
【０００５】
特許文献１のロック構造では、把手部を引き操作することによってロックが解除され、この後に更に把手部を引くことにより開閉扉を開く操作を行えるものである。従って、この操作時には把手部に作用した力が操作部材から枢軸を介して保持部材に作用し、最終的には開閉扉に作用するものとなり、このように力が作用する部位の強度を高める必要があった。具体的には、操作部材が枢軸を介して保持部材に支持されているので、この枢軸と保持部材との支持強度を高め、開閉扉に対して保持部材が嵌合により支持されているので、この嵌合部の強度を高めることが要求されるものであった。
【０００６】
しかしながら、保持部材を開閉扉に対して嵌合により固定したものでは、この嵌合部における強度を高めていても把手部を操作する毎に強い力が作用するため、嵌合部が変形して隙間が拡大することや、破損することも考えられ改善の余地がある。特に、開閉扉に対して比較的大きい組付け孔を形成し、この組付け孔に対して保持部材を嵌合させるものでは、光線の侵入を阻止しながら嵌合強度を高めるための構造を必要とするものであり、この点にも改善の余地があった。
【０００７】
本発明の目的は、処理装置に対して開閉自在に備えられる扉を閉じ状態に維持し、把手部の人為操作によって閉じ状態を解除する構造を、装置内部への光線の侵入を阻止しながら強固に構成する点にある。
【課題を解決するための手段】
【０００８】
本発明の特徴は、感光材料を処理する処理装置に開閉操作自在に備えられた扉を閉じ状態に維持し、人為操作によって閉じ状態を解除する操作手段を備え、この操作手段が、前記扉に形成した開口の部位に固定されるベースと、このベースに嵌め込まれ、かつ、軸芯周りで揺動自在に支持される揺動部材とで構成され、この揺動部材に対して人為操作される把手部と前記処理装置の側の部材に係合して扉を閉じ状態を維持するラッチアームとを形成している扉の開閉構造であって、
前記開口の開口縁から前記処理装置の内部側に突出する軸支部を前記扉に形成し、この軸支部に対して前記軸芯と同軸芯となる貫通孔を形成すると共に、
前記ベースは、前記処理装置の内部側に窪む凹状壁部が形成され、この凹状壁部に対して前記軸芯と同軸芯となる貫通孔と前記ラッチアームが挿通する孔部とが形成され、
前記揺動部材は、前記ベースの前記凹状壁部に摺接する外面が形成され、前記軸芯と同軸芯となる貫通孔が形成され、
前記開口の部位に前記ベースを固定し、このベースに対して前記揺動部材を嵌め込んだ状態で夫々の貫通孔に支軸を挿通することにより前記揺動部材を揺動自在に支持した点にある。
【０００９】
この構成により、扉の開口の部位にベースを固定し、ベースに対して揺動部材を嵌め込んだ後に夫々の貫通孔に支軸を挿通することにより、扉に形成した軸支部の貫通孔と、ベースに形成した貫通孔と、揺動部材に形成した貫通孔に対して支軸が挿通することになり、例えば、把手部を強く引く操作を行っても、この操作力は支軸を介して扉の軸支部に対して直接的に伝えられることになり、ベースと扉との間に強い力を作用させることがない。その結果、処理装置に開閉自在に備えられる扉を閉じ状態に維持し、把手部の人為操作によって閉じ状態を解除する構造を、装置内部への光線の侵入を阻止しながら強固に構成することができた。
【００１０】
本発明は、前記開口が、前記軸芯と平行となる一対の第１開口縁と、前記軸芯と直交する姿勢となる一対の第２開口縁とで矩形に形成され、第２開口縁と連なる位置に前記軸支部が形成され、前記ベースの取付位置が前記扉の裏側に設定されると共に、
前記ベースの凹状壁部の内部空間の軸芯方向での端部位置に前記軸支部を収容するように、この端部位置に端壁部を一体形成し、このベースの凹状壁部における前記揺動軸芯に沿う部位に形成したフランジ部を前記第１開口縁の外側に接触させ、前記軸支部を前記凹状壁部の内部空間に収容する形態で、このベースを扉に固定しても良い。
【００１１】
第１開口縁と第２開口縁とで矩形となる開口を形成することによって開口を小さくできると共に、扉の裏面側にベースを固定することにより、このベースの凹状壁部の揺動軸芯方向の端部側において、第２開口縁に形成した軸支部を収容し、この軸支部の外側に端壁部が位置する形態となるので、この部位において光線を遮断できるものとなる。また、ベース部のうち軸芯に沿う部位に形成したフランジ部が、第２開口縁の外側に接触して重なり合うのでこの部位においても光線を遮断できるものとなる。つまり、扉に形成する開口を可能な限り小さくでき、しかも、この開口の周囲をベースが覆う形態となるので、処理装置内部への光線の侵入を確実に遮断できる。
【００１２】
本発明は、前記ベースに形成された凹状壁部が前記軸芯を中心とするシリンダ内面状に成形され、前記揺動部材の外面が前記軸芯を中心としたシャフト状で凹状壁部に密接するサイズに成形され、前記ラッチアームは前記把手部を外方に引き操作した際にラッチ状態を解除するように突出方向を設定した係合部を有した構造であり、前記孔部の開口縁のうち、ラッチアームの係合片が形成された側の端部と重複する遮光片を該ラッチアームに形成しても良い。
【００１３】
この構成により、凹状壁部と揺動部材とが摺接することにより、ベースに形成した孔部から光線の侵入を阻止できるばかりでなく、ラッチアームに形成した遮光片によって、孔部からの光線を侵入を一層確実に阻止するものとなる。
【００１４】
本発明は、前記ベースにバネ受部を形成し、前記ラッチアームにバネ圧作用部を形成し、このバネ受部とバネ圧作用部との間に圧縮コイルバネを備えても良い。
【００１５】
この構成により、揺動部材が嵌め込まれるベースと、揺動アームに形成したラッチアームとの間にバネを介装することにより、中間に何らかの部材を介装したもののように、その部材が変形することや、その部材の位置ズレを招く等の原因によってバネからの付勢力の低下を招くことなく、バネの付勢力を揺動部材に伝えて、継続的に強い力をラッチアームに作用させて扉を確実に閉じ姿勢に維持できるものとなる。
【発明を実施するための最良の形態】
【００１６】
以下、本発明の実施形態を図面に基づいて説明する。
図１に示すように、感光材料としての銀塩印画紙Ｐ（以下、印画紙Ｐと称する）に対して露光を行う露光ブロックＥｘと、この露光ブロックＥｘで露光された印画紙Ｐの現像処理を行う現像ブロックＤｅと、現像処理後の印画紙Ｐを乾燥する乾燥ブロックＤｒとを筐体１０に収納すると共に、筐体１０の外部に処理の後に筐体１０の上部から送り出される印画紙Ｐを搬送ベルト１１でソータ１２に送り、このソータ１２においてオーダ単位で仕分けて集積する写真プリント装置（処理装置の一例）が構成されている。この写真プリント装置はデジタルミニラボと称せられるものであり、図面には示していないが、写真フィルムのコマ画像をフィルムスキャナによって光電変換することにより取り込んだ画像情報、あるいは、デジタルカメラで撮影した画像情報を該写真プリント装置に伝送することにより、その画像情報に基づき露光ブロックＥｘにおいて印画紙Ｐに露光を行い自動的な現像処理を行えるよう構成したものである。
【００１７】
図２に示すように、前記露光ブロックＥｘは、２つの樹脂製の印画紙マガジンＭ、Ｍの一方に収納したロール状の印画紙Ｐを供給ユニットＵ１において複数の搬送ローラ２０で搬送し、カッター２１でプリントサイズに切断し、バックプリント機構２２で印画紙Ｐのベース側に必要な情報をプリントした後に圧着搬送体２３で上方に搬送して露光搬送ユニットＵ２に送り込み、この露光搬送ユニットＵ２においては複数の搬送ローラ２４で鉛直姿勢となる搬送経路を下方から上方に搬送しながら露光エンジンＥによって画像情報の露光を行った後に前部搬送ユニットＵ３において複数の搬送ローラ２５で搬送を行いながら搬送方向を水平方向に変換し、次に、振分ユニットＵ４のチャッカー２６で水平方向に送ると同時に２列の振り分け経路に送り出し、この後、後部搬送ユニットＵ５の搬送ローラ２７から前記現像ブロックＤｅに受け渡すよう構成されている。
【００１８】
前記露光エンジンＥは、ケーシングの内部に収納したＲ（赤）、Ｇ（緑）、Ｂ（青）の三原色のレーザ光源からの光線を音響光学式の変調手段によって光量を調節した後、縦軸芯で回転するポリゴンミラーのミラー面で反射させることにより主走査方向に走査する形態で前記露光位置に送り出す構造のものが使用されている。尚、この露光エンジンＥとして液晶シャッター方式やＤＭＤ方式の使用が可能である。
【００１９】
前記現像ブロックＤｅは現像処理槽２８と、この現像処理槽２８に対して印画紙Ｐを搬送する搬送機構と備えて構成され、前記乾燥ブロックＤｒは、印画紙Ｐに対して加熱空気を供給するブロア２９を備えている。
【００２０】
このように構成された写真プリント装置は従来からのものと基本的に変わるものではなく、本発明では写真プリント装置の筐体１０の側部に対してヒンジ３１を介して開閉自在に樹脂製の扉３２を備えており、この扉３２を閉じ状態に維持し、人為操作によって閉じ状態を解除する操作手段の構造に特徴を有するものである。
【００２１】
図３〜図９に示すように前記操作手段は、把手部３５とラッチアーム３６とを一体形成した樹脂製の揺動部材３７と、この揺動部材３７が嵌め込まれる凹状壁部４１Ｓを形成した樹脂製のベース４１とで成り、このベース４１は扉３２に形成された開口Ｈに嵌め込む形態で固定されている。揺動部材３７は縦向き姿勢の軸芯Ｙ上に配置した支軸１５周りで揺動自在に支持され、ラッチアーム３６は装置内部に備えた金属製の被係合部材１６に係合してラッチ状態を現出するように機能する。
【００２２】
具体的に説明すると、扉３２に形成された窪み部３２Ａの端部に対して縦長姿勢となるよう前記開口Ｈが形成されている。扉３２の表面と直交する方向視で前記開口Ｈは前記軸芯Ｙと平行姿勢となる一対の第１開口縁Ｈ１と、前記軸芯Ｙと直交する姿勢となる第２開口縁Ｈ２とで矩形に形成され、この一対の第２開口縁Ｈ２の開口縁に連なる位置に対して、扉３２の内面に突出する軸支部３３が形成され、夫々の軸支部３３に対して前記軸芯Ｙと同軸芯の貫通孔３３Ａが形成されている。
【００２３】
前記第１開口縁Ｈ１の一方は扉３２の平坦な側に形成され、第１開口縁Ｈ１の他方は窪み部３２Ａの端部から扉３２の表面側に向かう姿勢の縦壁部３４で形成されている。また、扉３２の裏面側には第１開口縁Ｈ１のうち扉３２の平坦な側に沿った領域と、第２開口縁Ｈ２に沿った領域に係合溝Ｇを形成してあり、前記窪み部３２Ａの裏面側のうち、前記縦壁部３４の側に凹状の係合面３２Ｂが形成され、縦壁部３４の端部には段状となる係合部３４Ａを形成している。
【００２４】
前記ベース４１は、前記凹状壁部４１Ｓの内面が前記軸芯Ｙを中心とするシリンダ状に成形され、このベース４１の軸芯Ｙに沿う方向での端部位置に端壁部４２を一体的に形成し、この端壁部４２に対して前記軸芯Ｙと同軸心の貫通孔４２Ａを形成し、凹状壁部４１Ｓに対して前記ラッチアーム３６が挿通する孔部４１Ｈを形成している。このベース４１に対して前記係合溝Ｇに対応する領域に張り出すフランジ部４３を形成し、このフランジ部４３に対して係合溝Ｇに係合する係合凸部４３Ｇを形成し、このベース４１に対して前記縦壁部３４の係合部３４Ａに係合する係合片４４を形成し、前記係合面３２Ｂに係合する係合プレート４５を突出形成している。また、この係合プレート４５に対してバネ受部４５Ａを形成している。尚、図５では、前記孔部４１Ｈの軸芯Ｙ方向での幅を前記ラッチアーム３６の軸芯Ｙ方向での幅より大きく描いているが、孔部４１Ｈとラッチアーム３６との間に間隙を形成しないことが遮光性を向上させる点で有効であり、遮光性を高めるために夫々の幅を一致させても良い。
【００２５】
前記揺動部材３７は、前記軸芯Ｙを中心とするシャフト状の外面３７Ｓを形成しており、この外面３７Ｓの半径を前記凹状壁部４１Ｓの半径と一致させることにより、この揺動部材３７の外面３７Ｓと凹状壁部４１Ｓとを密接するよう構成し、この揺動部材３７の軸芯方向での寸法を前記一対の軸支部３３の対向する面同士の距離と等しい値に設定してある。尚、揺動部材３７の軸芯方向での寸法を前記一対の軸支部３３の対向する面同士の距離と等しい値に設定することよって遮光性能を高め得るものであるが、この揺動部材３７の軸芯方向での寸法を、一対の軸支部３３の対向する面同士の距離より短い寸法に設定しても良い。
【００２６】
また、この揺動部材３７に対して前記軸芯Ｙと同軸心の貫通孔３７Ａが形成され、この揺動部材３７に対して前記把手部３５と前記ラッチアーム３６とが一体形成されている。前記把手部３５は窪み部３２Ａに収まる大きさに形成され、ラッチアーム３６にはバネ圧作用部３６Ａと、前記被係合部材１６に係合する係合面３６Ｂと、前記孔部４１Ｈの開口縁のうちラッチアーム３６の係合方向側の端縁と重複する遮光片３６Ｃとを形成している。
【００２７】
この構造の操作手段を組み立てる際には、前記係合溝Ｇと係合凸部４３Ｇとを係合させ、かつ、係合片４４を縦壁部３４の係合部３４Ａに係合させ、前記係合面３２Ｂに係合プレート４５を係合させる形態で前記ベース４１を扉３２の裏面側から固定し、また、このベース４１の凹状壁部４１Ｓに嵌め込む形態で前記揺動部材３７をセットした後に、前記貫通孔４２Ａ、３３Ａ、３７Ａに対して前記支軸１５を挿通して、この支軸１５を抜け止め状態で支持し、更に、バネ受部４５Ａとバネ圧作用部３６Ａとの間に圧縮コイルバネＳを備えることになる。
【００２８】
このように組み上がった状態では、把手部３５の外面が扉３２の外面の延長上に位置し、この把手部３５と窪み部３２Ａとの間にオペレータの手を挿入するために充分な空間が形成されるものとなっている。また、このように組み上がった状態では、前記揺動部材３７の外面３７Ｓが前記凹状壁部４１Ｓに対して密接し、前記揺動部材３７の両端部が軸支部３３に密接し、ベース４１の一対の端壁部４２の内面に一対の軸支部３３が密接し、前記ラッチアーム３６に形成した遮光片３６Ｃが孔部４１Ｈの開口縁を覆うものとなる。尚、図５では貫通孔４２Ａの直径を支軸１５の直径より大きく設定した構造が示されているが、遮光性を高める点から夫々の間に間隙を形成しないことが有効であり、遮光性を高めるために夫々の直径を一致させても良い。特に、支軸１５の上下両端に頭部を形成することや、ワッシャを備えることによって遮光性を高めても良い。
【００２９】
そして、この扉３２の開閉構造では、扉３２を閉じ方向に操作することにより、ラッチアーム３６の係合面３６Ｂが被係合部材１６に係合して扉３２を閉じ状態に維持する。このように閉じ状態を維持する状況においては、扉３２の表面側から開口Ｈに光線が入り込んだ場合でも扉３２とベース４１の各部位の係合によって装置内部への侵入が阻止されるものとなっており、この閉じ状態で把手部３５を引き操作した場合には、圧縮コイルバネＳの付勢力に抗して支軸１５周り（軸芯Ｙ周り）で揺動部材３７が揺動することによってラッチアーム３６の係合面３６Ｂが被係合部材１６から分離して扉３２を開くことが可能となるのである。
【００３０】
このように本発明では、扉３２の裏面側からベース４１を嵌め込む形態で固定し、このベース４１の内部に揺動部材３７をセットした状態で支軸１５を挿入すると云う、簡単な組立操作で扉３２に対して揺動部材３７とベース４１とを支軸１５を介して連結するものとなり、把手部３５を強く引く操作を行った場合には、支軸１５を直接的に引き操作力を扉３２に伝えて扉３２の開放操作を実現するものとなり、この把手部３５の部位から装置内部への光線の侵入を阻止できるものにしている。
〔別実施の形態〕
本発明は、上記した実施の形態以外に以下のように構成しても良い。
【００３１】
（イ）揺動軸芯の姿勢を横向きや傾斜する姿勢に設定する等、縦向き姿勢以外の姿勢に設定することも可能である。
【００３２】
（ロ）扉とベースとを接着材やビス等を用いて固定する。このような固定構造を用いることにより、一層強固な固定を現出するものとなる。
【図面の簡単な説明】
【００３３】
【図１】扉を閉じた状態と開放した状態とを示す写真プリント装置の斜視図
【図２】写真プリント装置の縦断正面図
【図３】操作手段の分解斜視図
【図４】ベースと揺動部材と扉の開口との構造を示す分解状態の縦断面図
【図５】ベースと揺動部材を扉の開口に組み付けた状態の縦断面図
【図６】ベースと扉と揺動部材との横断平面図
【図７】ラッチ状態とラッチ解除状態とを示す操作手段の横断平面図
【図８】ラッチ状態の操作手段の平面図
【図９】扉の裏面側に現れる操作手段を示す図
【符号の説明】
【００３４】
３２        扉
３３        軸支部
３３Ａ      貫通孔
３５        把手部
３６        ラッチアーム
３６Ｃ      遮光片
３７        揺動部材
３７Ａ      貫通孔
３７Ｓ      外面
４１        ベース
４１Ｓ      凹状壁部
４２        端壁部
Ｈ          開口
Ｈ１        第１開口縁
Ｈ２        第２開口縁
Ｐ          感光材料
Ｙ          軸芯
【図１】
2005226247.tif 000003
【図２】
2005226247.tif 000004
【図３】
2005226247.tif 000005
【図４】
2005226247.tif 000006
【図５】
2005226247.tif 000007
【図６】
2005226247.tif 000008
【図７】
2005226247.tif 000009
【図８】
2005226247.tif 000010
【図９】
2005226247.tif 000011